(57)【要約】【課題】通信端末装置にとって伝搬状況の良好なサブキャリアのみを用いて基地局装置がデータを送信することにより、システム全体の伝送効率を向上させるとともに、ユーザがハンドオーバ領域に位置するか否かを考慮して周波数スケジューリングを行うことにより、サイトダイバーシチ効果を得て、受信品質及びスループットを改善すること。【解決手段】セル＃１の受信品質測定部１０８は、サブキャリアブロック毎にセル＃１の受信品質を測定する。セル＃２の受信品質測定部１０９は、サブキャリアブロック毎にセル＃２の受信品質を測定する。セル・サブキャリア選択部１１０は、受信品質の測定結果としきい値とに基づいて、サブキャリアブロック毎に基地局装置を選択、即ちサブキャリアブロック毎にハンドオーバを行うか否かを選択する。【選択図】図１
2006191533.tif 000002
【特許請求の範囲】
【請求項１】
サブキャリアを複数のグループに分けて前記各グループにおける複数の基地局装置から送信された信号の受信品質を各々測定する受信品質測定手段と、
前記受信品質測定手段にて測定された前記受信品質に基づいて前記グループ毎に基地局装置を選択する選択手段と、
前記選択手段で選択された基地局装置の情報を送信する送信手段と、
前記送信手段にて送信した前記基地局装置の情報に従って基地局装置から送信されたマルチキャリア信号を受信する受信手段と、
前記受信手段にて受信したマルチキャリア信号を前記選択の結果に従って復号する復号手段と、
を具備することを特徴とする通信端末装置。
【請求項２】
前記選択手段は、前記基地局装置毎に異なるしきい値を設定するとともに、前記受信品質を示す測定値と前記しきい値とを比較することにより前記基地局装置を選択することを特徴とする請求項１記載の通信端末装置。
【請求項３】
前記選択手段は、前記グループ毎に前記受信品質が最も良好な基地局装置を選択することを特徴とする請求項１または請求項２記載の通信端末装置。
【請求項４】
サブキャリアを複数のグループに分けて前記各グループにおける複数のセクタから送信された信号の受信品質を各々測定する受信品質測定手段と、
前記受信品質測定手段にて測定された前記受信品質に基づいて前記グループ毎にセクタを選択する選択手段と、
前記選択手段で選択されたセクタの情報を送信する送信手段と、
前記送信手段にて送信した前記セクタの情報に従ってセクタから送信されたマルチキャリア信号を受信する受信手段と、
前記受信手段にて受信したマルチキャリア信号を前記選択の結果に従って復号する復号手段と、
を具備することを特徴とする通信端末装置。
【請求項５】
複数のサブキャリアからなるグループ毎に通信端末装置に割り当てた基地局装置の前記通信端末装置における受信品質の内で最も劣化している受信品質と前記各グループにおける基地局装置の前記通信端末装置での受信品質との受信品質差の情報である受信品質差情報を取得する受信品質差情報取得手段と、
前記受信品質差情報取得手段にて取得した前記受信品質差情報に基づいて前記グループ毎に他の通信端末装置に割り当てていない基地局装置を選択する選択手段と、
前記選択手段にて選択された基地局装置の情報を通知する通知手段と、
を具備することを特徴とする制御局。
【請求項６】
前記選択手段は、全ての前記グループにおける前記受信品質差情報の受信品質差が大きい基地局装置から順番に選択することを特徴とする請求項５記載の制御局。
【請求項７】
請求項５または請求項６記載の制御局へ前記受信品質差情報を報告する通信端末装置であって、
前記通信端末装置は、
前記グループ毎の基地局装置の受信品質を測定する受信品質測定手段と、
前記受信品質測定手段で測定された受信品質の前記受信品質差を前記グループ毎に算出する受信品質差算出手段と、
前記受信品質差算出手段で算出された前記受信品質差の情報である前記受信品質差情報を送信する送信手段と、
前記送信手段にて送信した前記受信品質差情報に従って基地局装置から送信されたマルチキャリア信号と前記通知手段にて通知された前記基地局装置の情報とを受信する受信手段と、
前記受信手段にて受信した前記基地局装置の情報に従って前記受信手段にて受信したマルチキャリア信号を復号する復号手段と、
を具備することを特徴とする通信端末装置。
【請求項８】
サブキャリアを複数のグループに分けて前記各グループにおける複数の基地局装置から送信された信号の受信品質を各々測定するステップと、
測定された前記受信品質に基づいて前記グループ毎に基地局装置を選択するステップと、
選択された前記基地局装置の情報を送信するステップと、
送信した前記基地局装置の情報に従って基地局装置から送信されたマルチキャリア信号を受信するステップと、
受信した前記マルチキャリア信号を前記選択の結果に従って復号するステップと、
を具備することを特徴とするマルチキャリア通信方法。
【発明の詳細な説明】
【技術分野】
【０００１】
本発明は、通信端末装置、制御局及びマルチキャリア通信方法に関し、例えば変調方式としてＯＦＤＭ(Orthogonal Frequency Division Multiplexing)を用いたマルチユーザ通信システムに用いられる通信端末装置、制御局及び通信方法に関する。
【背景技術】
【０００２】
変調方式としてＯＦＤＭを用いたマルチユーザ通信システムにおいて、サブキャリアを各ユーザに適応的に割り当てる手法である周波数スケジューリングが検討されている（例えば、特許文献１）。このような周波数スケジューリングにおいては、アプリケーションの種類ごとの要求される条件である所要伝送速度、所要ＢＥＲ（Bit Error Rate）及び許容遅延時間に応じて、サブキャリアを割り当てることを提案している。また、従来、ＭＣ−ＣＤＭＡ（マルチキャリア−ＣＤＭＡ）方式を用いた通信システムへの周波数スケジューリングの適用が検討されている（例えば、非特許文献１）。
【特許文献１】特開２００３−１８１１７号公報
【非特許文献１】原、川端、段、関口著「周波数スケジューリングを用いたＭＣ−ＣＤＭ方式」信学技報ＲＣＳ２００２−１２９（２００２−０７）
【発明の開示】
【発明が解決しようとする課題】
【０００３】
しかしながら、従来の装置においては、通信中のユーザにおけるセル内の位置を考慮することなく周波数スケジューリングを行うので、ユーザがハンドオーバ領域に位置する場合には、伝搬状況の良好なサブキャリアをデータの送信に割り当てたとしても、周波数スケジューリングを行っても伝送効率を十分に向上させることができず、また受信品質及びスループットを十分に改善することができないという問題がある。
【０００４】
本発明はかかる点に鑑みてなされたものであり、ユーザがハンドオーバ領域に位置するか否かを考慮して通信端末装置にとって伝搬状況の良好なサブキャリアのみを用いて基地局装置がデータを送信することにより、システム全体の伝送効率を向上させることができるとともに、ユーザがハンドオーバ領域に位置するか否かを考慮して周波数スケジューリングを行うことにより、サイトダイバーシチ効果を得ることができ、受信品質及びスループットを改善することができる通信端末装置、制御局及びマルチキャリア通信方法を提供することを目的とする。
【課題を解決するための手段】
【０００５】
本発明の通信端末装置は、サブキャリアを複数のグループに分けて前記各グループにおける複数の基地局装置から送信された信号の受信品質を各々測定する受信品質測定手段と、前記受信品質測定手段にて測定された前記受信品質に基づいて前記グループ毎に基地局装置を選択する選択手段と、前記選択手段で選択された基地局装置の情報を送信する送信手段と、前記送信手段にて送信した前記基地局装置の情報に従って基地局装置から送信されたマルチキャリア信号を受信する受信手段と、前記受信手段にて受信したマルチキャリア信号を前記選択の結果に従って復号する復号手段と、を具備する構成を採る。
【０００６】
また、本発明の通信端末装置は、サブキャリアを複数のグループに分けて前記各グループにおける複数のセクタから送信された信号の受信品質を各々測定する受信品質測定手段と、前記受信品質測定手段にて測定された前記受信品質に基づいて前記グループ毎にセクタを選択する選択手段と、前記選択手段で選択されたセクタの情報を送信する送信手段と、前記送信手段にて送信した前記セクタの情報に従ってセクタから送信されたマルチキャリア信号を受信する受信手段と、前記受信手段にて受信したマルチキャリア信号を前記選択の結果に従って復号する復号手段と、を具備する構成を採る。
【０００７】
本発明の制御局は、複数のサブキャリアからなるグループ毎に通信端末装置に割り当てた基地局装置の前記通信端末装置における受信品質の内で最も劣化している受信品質と前記各グループにおける基地局装置の前記通信端末装置での受信品質との受信品質差の情報である受信品質差情報を取得する受信品質差情報取得手段と、前記受信品質差情報取得手段にて取得した前記受信品質差情報に基づいて前記グループ毎に他の通信端末装置に割り当てていない基地局装置を選択する選択手段と、前記選択手段にて選択された基地局装置の情報を通知する通知手段と、を具備する構成を採る。
【０００８】
本発明のマルチキャリア通信方法は、サブキャリアを複数のグループに分けて前記各グループにおける複数の基地局装置から送信された信号の受信品質を各々測定するステップと、測定された前記受信品質に基づいて前記グループ毎に基地局装置を選択するステップと、選択された前記基地局装置の情報を送信するステップと、送信した前記基地局装置の情報に従って基地局装置から送信されたマルチキャリア信号を受信するステップと、受信した前記マルチキャリア信号を前記選択の結果に従って復号するステップと、を具備するようにした。
【発明の効果】
【０００９】
本発明によれば、通信端末装置にとって伝搬状況の良好なサブキャリアのみを用いて基地局装置がデータを送信することにより、システム全体の伝送効率を向上させることができるとともに、ユーザがハンドオーバ領域に位置するか否かを考慮して周波数スケジューリングを行うことにより、サイトダイバーシチ効果を得ることができ、受信品質及びスループットを改善することができる。
【発明を実施するための最良の形態】
【００１０】
以下、本発明の実施の形態について、図面を参照して詳細に説明する。
【００１１】
（実施の形態１）
図１は、本発明の実施の形態１に係る通信端末装置１００の構成を示すブロック図である。なお、本実施の形態１においては、セル＃１とセル＃２との間にてセル間ハンドオーバする場合について説明する。
【００１２】
アンテナ１０１は、ＲＦ送信部１１８から入力した送信信号を送信するとともに、受信したマルチキャリア信号をＲＦ受信部１０２へ出力する。
【００１３】
ＲＦ受信部１０２は、アンテナ１０１から入力したマルチキャリア信号を無線周波数からベースバンド周波数にダウンコンバートしてＦＦＴ（Fast Fourier Transform）部１０３へ出力する。
【００１４】
ＦＦＴ部１０３は、ＲＦ受信部１０２から入力したマルチキャリア信号を高速フーリエ変換することにより、時間軸上の信号から周波数軸上の信号に変換してセル＃１の復調部１０４及びセル＃２の復調部１０５へ出力する。
【００１５】
セル＃１の復調部１０４は、サブキャリア選択情報記憶部１１３から入力したサブキャリア選択情報に基づいて、ＦＦＴ部１０３から入力したマルチキャリア信号を復調して合成部１０６及びセル＃１の受信品質測定部１０８へ出力する。具体的には、セル＃１の復調部１０４は、ＦＦＴ部１０３から入力したマルチキャリア信号の内、サブキャリア選択情報によって示されたサブキャリアだけ復調して合成部１０６及びセル＃１の受信品質測定部１０８へ出力する。これにより、セル＃１の復調部１０４は、セル＃１の基地局装置から送信された信号が割り当てられているサブキャリアの信号を復調することができる。
【００１６】
セル＃２の復調部１０５は、サブキャリア選択情報記憶部１１３から入力したサブキャリア選択情報に基づいて、ＦＦＴ部１０３から入力したマルチキャリア信号を復調して合成部１０６及びセル＃２の受信品質測定部１０９へ出力する。具体的には、セル＃２の復調部１０５は、ＦＦＴ部１０３から入力したマルチキャリア信号の内、サブキャリア選択情報によって示されたサブキャリアだけ復調して合成部１０６及びセル＃２の受信品質測定部１０９へ出力する。これにより、セル＃２の復調部１０５は、セル＃２の基地局装置から送信された信号が割り当てられているサブキャリアの信号を復調することができる。
【００１７】
合成部１０６は、セル＃１の復調部１０４から入力した復調後のマルチキャリア信号及びセル＃２の復調部１０５から入力した復調後のマルチキャリア信号を合成して誤り訂正復号部１０７へ出力する。
【００１８】
誤り訂正復号部１０７は、合成部１０６から入力した合成されたマルチキャリア信号を誤り訂正復号して受信データとして出力する。
【００１９】
セル＃１の受信品質測定部１０８は、サブキャリアを複数のグループ、即ち複数のサブキャリアブロックに分けてグループ化し、セル＃１の復調部１０４から入力した復調後のマルチキャリア信号に含まれる既知信号を用いて、サブキャリアブロック毎にセル＃１の受信品質を測定する。そして、セル＃１の受信品質測定部１０８は、サブキャリアブロック毎に測定結果を平均して、平均した測定結果をセル・サブキャリア選択部１１０及びしきい値設定部１１１へ出力する。
【００２０】
セル＃２の受信品質測定部１０９は、サブキャリアを複数のサブキャリアブロックに分けてグループ化し、セル＃２の復調部１０５から入力した復調後のマルチキャリア信号に含まれる既知信号を用いて、サブキャリアブロック毎にセル＃２の受信品質を測定する。そして、セル＃２の受信品質測定部１０９は、サブキャリアブロック毎に測定結果を平均して、平均した測定結果をセル・サブキャリア選択部１１０及びしきい値設定部１１１へ出力する。
【００２１】
セル・サブキャリア選択部１１０は、セル＃１の受信品質測定部１０８及びセル＃２の受信品質測定部１０９から入力した平均した受信品質の測定結果と、しきい値設定部１１１から入力したしきい値とに基づいて、サブキャリアブロック毎に基地局装置を選択する。そして、セル・サブキャリア選択部１１０は、サブキャリアブロック毎の選択結果をサブキャリア選択情報生成部１１２へ出力する。
【００２２】
しきい値設定部１１１は、セル＃１の受信品質測定部１０８及びセル＃２の受信品質測定部１０９から入力した受信品質の測定結果より、測定結果に応じて基地局装置毎、即ちセル毎にしきい値を適応的に設定する。そして、しきい値設定部１１１は、設定したしきい値をセル・サブキャリア選択部１１０へ出力する。しきい値の設定方法としては、セル＃１及びセル＃２で同一のしきい値を設定する方法、またはセル＃１とセル＃２で異なるしきい値を設定する方法等の任意の方法を採用することができる。
【００２３】
サブキャリア選択情報生成部１１２は、セル・サブキャリア選択部１１０から入力した選択結果より、サブキャリアブロック毎の選択した基地局装置の情報であるサブキャリア選択情報を生成する。そして、サブキャリア選択情報生成部１１２は、生成したサブキャリア選択情報をサブキャリア選択情報記憶部１１３及び多重部１１４へ出力する。
【００２４】
サブキャリア選択情報記憶部１１３は、サブキャリア選択情報生成部１１２から入力したサブキャリア選択情報を記憶する。そして、サブキャリア選択情報記憶部１１３は、記憶しているサブキャリア選択情報をセル＃１の復調部１０４及びセル＃２の復調部１０５へ出力する。
【００２５】
多重部１１４は、サブキャリア選択情報生成部１１２から入力したサブキャリア選択情報と送信データとを多重して誤り訂正符号化部１１５へ出力する。
【００２６】
誤り訂正符号化部１１５は、多重部１１４から入力したサブキャリア選択情報と送信データを誤り訂正符号化して変調部１１６へ出力する。
【００２７】
変調部１１６は、誤り訂正符号化部１１５から入力したサブキャリア選択情報と送信データを変調して送信信号を生成し、生成した送信信号をＩＦＦＴ（Inverse Fast Fourier Transform）部１１７へ出力する。
【００２８】
ＩＦＦＴ部１１７は、変調部１１６から入力した送信信号を逆高速フーリエ変換することにより、周波数軸上から時間軸上の信号に変換してＲＦ送信部１１８へ出力する。
【００２９】
ＲＦ送信部１１８は、ＩＦＦＴ部１１７から入力した送信信号をベースバンド周波数から無線周波数にアップコンバートしてアンテナ１０１へ出力する。
【００３０】
次に、通信端末装置１００の通信相手である基地局装置２００の構成について、図２を用いて説明する。図２は、基地局装置２００の構成を示すブロック図である。
【００３１】
アンテナ２０１は、ＲＦ送信部２１１から入力したマルチキャリア信号を送信するとともに、受信した受信信号をＲＦ受信部２０２へ出力する。
【００３２】
ＲＦ受信部２０２は、アンテナ２０１から入力した受信信号を無線周波数からベースバンド周波数にダウンコンバートしてＦＦＴ部２０３へ出力する。
【００３３】
ＦＦＴ部２０３は、ＲＦ受信部２０２から入力した受信信号を高速フーリエ変換することにより、時間軸上の信号から周波数軸上の信号に変換して復調部２０４へ出力する。
【００３４】
復調部２０４は、ＦＦＴ部２０３から入力した受信信号を復調して誤り訂正復号部２０５へ出力する。
【００３５】
誤り訂正復号部２０５は、復調部２０４から入力した受信信号を誤り訂正復号して、受信信号に含まれるサブキャリア選択情報を抽出して有線送受信部２０６へ出力するとともに、サブキャリア選択情報を抽出した後に受信データとして出力する。
【００３６】
有線送受信部２０６は、誤り訂正復号部２０５から入力したサブキャリア選択情報を、リソース割当部２０９へ出力するとともに図示しない制御局へ送信する。また、有線送受信部２０６は、制御局からリソース割り当て情報を受信して誤り訂正符号化部２０７及びリソース割当部２０９へ出力する。ここで、リソース割り当て情報とは、各通信端末装置１００と基地局装置２００との回線品質に基づいて、各基地局装置２００が各通信端末装置１００にリソースを割り当てるための情報であり、制御局が決定して基地局装置２００へ通知するものである。なお、サブキャリア選択情報を受信した制御局は、通信端末装置１００が基地局装置２００毎に選択したサブキャリアに対して、各基地局装置２００が割り当てられるように、リソースの割り当てを行う。
【００３７】
誤り訂正符号化部２０７は、有線送受信部２０６から入力したリソース割り当て情報に基づいて、送信データを誤り訂正符号化して変調部２０８へ出力する。
【００３８】
変調部２０８は、誤り訂正符号化部２０７から入力した送信データを変調して送信信号を生成し、生成した送信信号をリソース割当部２０９へ出力する。
【００３９】
リソース割当部２０９は、有線送受信部２０６から入力したサブキャリア選択情報より、通信端末装置１００にて自分が選択されているサブキャリアブロックでかつ制御局にて自分がリソースを割り当てられたサブキャリアブロックに、変調部２０８から入力した送信信号を割り当ててＩＦＦＴ部２１０へ出力する。
【００４０】
ＩＦＦＴ部２１０は、リソース割当部２０９から入力した送信信号を逆高速フーリエ変換することにより、周波数軸上から時間軸上の信号に変換してマルチキャリア信号を生成する。そして、ＩＦＦＴ部２１０は、生成したマルチキャリア信号をＲＦ送信部２１１へ出力する。
【００４１】
ＲＦ送信部２１１は、ＩＦＦＴ部２１０から入力したマルチキャリア信号をベースバンド周波数から無線周波数にアップコンバートしてアンテナ２０１へ出力する。
【００４２】
次に、通信端末装置１００及び基地局装置２００の動作について、図３〜図５を用いて説明する。図３は、通信端末装置１００がハンドオーバ領域にて２つの基地局装置２００１−及び基地局装置２００−２と通信を行っている状態を示す模式図、図４は、通信システムの構成を示す模式図、図５は、通信端末装置１００、基地局装置２００及び制御局４０１の動作を示すシーケンス図である。なお、図３〜図５において、通信端末装置１００は図１と同一構成であり、基地局装置２００−１及び基地局装置２００−２は図２と同一構成である。
【００４３】
図３に示すように、通信端末装置１００は、ハンドオーバ領域＃３０１にて、セル＃１の基地局装置２００−１及びセル＃２の基地局装置２００−２と通信を行っている。また、図４に示すように、基地局装置２００−１、２００−２の上位階層には基地局装置２０−１、２００−２を管理する制御局４０１があり、制御局４０１は通信ネットワーク４０２に接続されている。
【００４４】
図５より、通信端末装置１００は、セル＃１の受信品質測定部１０８及びセル＃２の受信品質測定部１０９にて、サブキャリアブロック毎に受信品質を測定して平均する。
【００４５】
次に、通信端末装置１００は、セル・サブキャリア選択部１１０にて、基地局装置２００−１及び基地局装置２００−２の内、受信品質を示す測定値である例えば受信ＳＩＮＲ（Signal to Interference plus Noise Ratio）が最大で、かつ受信ＳＩＮＲがしきい値以上である方の基地局装置をサブキャリアブロック毎に選択する。また、セル・サブキャリア選択部１１０は、基地局装置２００−１及び基地局装置２００−２の両方の受信ＳＩＮＲがしきい値以上ではない場合には、いずれの基地局装置も選択しない。
【００４６】
図６は、各サブキャリアブロックにおける、基地局装置２００−１の受信品質＃６１０及び基地局装置２００−２の受信品質＃６１１を示すものである。なお、各サブキャリアブロック＃６０１〜＃６０９は、１サブキャリアブロックを示す。図６より、サブキャリアブロック＃６０１では、基地局装置２００−１の受信品質＃６１０の方が基地局装置２００−２の受信品質＃６１１よりも良好であるとともに、基地局装置２００−１の受信品質＃６１０の測定値はしきい値以上であるので、セル・サブキャリア選択部１１０は基地局装置２００−１を選択、即ちセル＃１を選択する（＃６２０）。また、サブキャリアブロック＃６０２では、基地局装置２００−１及び基地局装置２００−２の両方とも受信品質の測定値がしきい値未満なので、セル・サブキャリア選択部１１０は基地局装置２００−１及び基地局装置２００−２のいずれも選択しない（＃６２１）。これにより、サブキャリアブロック＃６０２では、データが送信されないことになる。また、サブキャリアブロック＃６０３では、基地局装置２００−２の受信品質＃６１１の方が基地局装置２００−１の受信品質＃６１０よりも良好であるとともに、基地局装置２００−２の受信品質＃６１１の測定値はしきい値以上であるので、セル・サブキャリア選択部１１０は基地局装置２００−２を選択、即ちセル＃２を選択する（＃６２２）。そして、セル・サブキャリア選択部１１０は、サブキャリアブロック＃６０４〜＃６０９についても同様にして基地局装置を選択する。
【００４７】
次に、通信端末装置１００は、サブキャリア選択情報生成部１１２にて、各基地局装置２００−１、２００−２のサブキャリア選択情報を生成する。そして、通信端末装置１００は、生成した各基地局装置２００−１、２００−２のサブキャリア選択情報を基地局装置２００−１へまとめて送信する（ステップＳＴ５０１）。
【００４８】
サブキャリア選択情報を受信した基地局装置２００−１は、通信端末装置１００から受信したサブキャリア選択情報を制御局４０１へ送信する（ステップＳＴ５０２）。
【００４９】
次に、サブキャリア選択情報を受信した制御局４０１は、通信端末装置１００が各サブキャリアについて選択した基地局装置２００−１、２００−２が、各サブキャリアに割り当てられるように、サブキャリアごとのリソースを割り当てる。そして、制御局４０１は、基地局装置２００−２が通信端末装置１００にリソースを割り当てるためのリソース割り当て情報を基地局装置２００−２へ送信し（ステップＳＴ５０３）、基地局装置２００−１が通信端末装置１００にリソースを割り当てるためのリソース割り当て情報を基地局装置２００−１へ送信する（ステップＳＴ５０４）。
【００５０】
次に、リソース割り当て情報を受信した基地局装置２００−１及び基地局装置２００−２は、リソース割当部２０９にて、サブキャリア選択情報に基づいて通信端末装置１００にて自分が選択されたサブキャリアブロックを選択する。さらに、リソース割当部２０９は、選択したサブキャリアブロックの内、リソース割り当て情報に基づいて制御局４０１にて自分がリソースを割り当てられているサブキャリアブロックを選択して、各通信端末装置１００へ送信するデータを、選択したサブキャリアブロックに割り当てることにより、リソースの割り当てを行う。そして、基地局装置２００−１、２０２−２は、ＩＦＦＴ部２１０にて、データを逆高速フーリエ変換してマルチキャリア信号を生成する。
【００５１】
次に、基地局装置２００−１は、マルチキャリア信号を下りデータとして送信するとともに（ステップＳＴ５０５）、基地局装置２００−２は、マルチキャリア信号を下りデータとして送信する（ステップＳＴ５０６）。そして、通信端末装置１００はマルチキャリア信号である下りデータを受信する。
【００５２】
次に、セル・サブキャリア選択部１１０における、基地局装置２００−１及び基地局装置２００−２の選択方法についての他の実施の形態について説明する。上記の説明においては、受信ＳＩＮＲとしきい値とを比較して、受信ＳＩＮＲがしきい値以上の基地局装置がない場合にはデータが送信されないこととしたが、これに限らず、しきい値を「０」にして、必ず基地局装置２００−１及び基地局装置２００−２の内の受信品質が良好な方を選択するようにしても良い。また、同じ周波数帯域を隣接セルで使用できる１セル周波数繰り返しシステムにおいては、基地局装置２００−１及び基地局装置２００−２のいずれか一つを選択する場合に限らず、受信ＳＩＮＲがしきい値を越えていれば基地局装置２００−１と基地局装置２００−２との両方を選択することも可能である。この場合、基地局装置２００−１及び基地局装置２００−２は、それぞれ同じサブキャリアを通信端末装置１００に割り当てることになる。ただし、サブキャリアに多重されるデータに乗算される拡散符号は、同一の拡散符号を使用すると拡散符号の直交性が崩れることから、基地局装置２００−１と基地局装置２００−２とで異なる拡散符号を使用する。一方，同じ周波数帯域を隣接セルで使用できないセル周波数繰り返しが必要なシステムにおいては，同じサブキャリアを通信端末装置１００に割り当てることはできないため，基地局装置２００−１及び基地局装置２００−２の受信ＳＩＮＲが両方しきい値を越えている場合でも，必ず基地局装置２００−１及び基地局装置２００−２の内の受信品質が良好な方を選択する。
【００５３】
このように、本実施の形態１によれば、通信端末装置がハンドオーバ領域に位置するか否かを考慮してサブキャリアブロック毎に受信品質が良好な基地局装置を選択することにより、通信端末装置にとって伝搬状況の良好なサブキャリアのみを用いて基地局装置がデータを送信することができるので、システム全体の伝送効率を向上させることができる。また、本実施の形態１によれば、サブキャリアブロック毎に受信品質が良好な基地局装置を選択することにより、通信端末装置がハンドオーバ領域に位置するか否かを考慮して周波数スケジューリングを行うことができる。これにより、ハンドオーバ中の通信端末装置は、ハンドオーバ元の基地局装置とハンドオーバ先の基地局装置との両方からデータを受信するサイトダイバーシチ効果を得ることができるので、受信品質及びスループットを改善することができる。また、本実施の形態１によれば、受信ＳＩＮＲと比較するしきい値を基地局装置毎に異なるよう設定した場合、例えば、基地局装置２００−２を選択するためのしきい値を、基地局装置２００−１を選択するためのしきい値に比べて大きくすることにより、基地局装置２００−２から基地局装置２００−１への干渉を最小限に抑えることができる。
【００５４】
なお、本実施の形態１において、図５に示すように、通信端末装置１００は、基地局装置２００−１のサブキャリア選択情報と基地局装置２００−２のサブキャリア選択情報とを基地局装置２００−１にまとめて送信するようにしたが、これに限らず、基地局装置２００−１のサブキャリア選択情報は基地局装置２００−１へ送信し、基地局装置２００−２のサブキャリア選択情報は基地局装置２００−２へ送信するようにしても良い。
【００５５】
（実施の形態２）
図７は、本発明の実施の形態２に係る通信端末装置７００の構成を示すブロック図である。なお、本実施の形態２においては、セクタＡとセクタＢとの間にてセクタ間ハンドオーバする場合について説明する。
【００５６】
本実施の形態２に係る通信端末装置７００は、図１に示す実施の形態１に係る通信端末装置１００において、図７に示すように、セル＃１の復調部１０４、セル＃２の復調部１０５、セル＃１の受信品質測定部１０８、セル＃２の受信品質測定部１０９及びセル・サブキャリア選択部１１０を除き、セクタ＃Ａの復調部７０１、セクタ＃Ｂの復調部７０２、セクタ＃Ａの受信品質測定部７０３、セクタ＃Ｂの受信品質測定部７０４及びセクタ・サブキャリア選択部７０５を追加する。なお、図７においては、図１と同一構成である部分には同一の符号を付してその説明は省略する。
【００５７】
ＦＦＴ部１０３は、ＲＦ受信部１０２から入力したマルチキャリア信号を高速フーリエ変換することにより、時間軸上の信号から周波数軸上の信号に変換してセクタ＃Ａの復調部７０１及びセクタ＃Ｂの復調部７０２へ出力する。
【００５８】
セクタ＃Ａの復調部７０１は、サブキャリア選択情報記憶部１１３から入力したサブキャリア選択情報に基づいて、ＦＦＴ部１０３から入力したマルチキャリア信号を復調して合成部１０６及びセクタ＃Ａの受信品質測定部７０３へ出力する。具体的には、セクタ＃Ａの復調部７０１は、ＦＦＴ部１０３から入力したマルチキャリア信号の内、サブキャリア選択情報によって示されたサブキャリアだけ復調して合成部１０６及びセクタ＃Ａの受信品質測定部７０３へ出力する。これにより、セクタ＃Ａの復調部７０１は、基地局装置のセクタ＃Ａから送信された信号が割り当てられているサブキャリアの信号を復調することができる。
【００５９】
セクタ＃Ｂの復調部７０２は、サブキャリア選択情報記憶部１１３から入力したサブキャリア選択情報に基づいて、ＦＦＴ部１０３から入力したマルチキャリア信号を復調して合成部１０６及びセクタ＃Ｂの受信品質測定部７０４へ出力する。具体的には、セクタ＃Ｂの復調部７０２は、ＦＦＴ部１０３から入力したマルチキャリア信号の内、サブキャリア選択情報によって示されたサブキャリアだけ復調して合成部１０６及びセクタ＃Ｂの受信品質測定部７０４へ出力する。これにより、セクタ＃Ｂの復調部７０２は、基地局装置のセクタ＃Ｂから送信された信号が割り当てられているサブキャリアの信号を復調することができる。
【００６０】
合成部１０６は、セクタ＃Ａの復調部７０１から入力した復調後のマルチキャリア信号及びセクタ＃Ｂの復調部７０２から入力した復調後のマルチキャリア信号を合成して誤り訂正復号部１０７へ出力する。
【００６１】
セクタ＃Ａの受信品質測定部７０３は、サブキャリアを複数のサブキャリアブロックに分けてグループ化し、セクタ＃Ａの復調部７０１から入力した復調後のマルチキャリア信号に含まれる既知信号を用いて、サブキャリアブロック毎にセクタ＃Ａの受信品質を測定する。この際、セクタ＃Ａの受信品質測定部７０３は、各サブキャリアブロックにおいて、複数のセクタから送信された信号の受信品質を測定する。そして、セクタ＃Ａの受信品質測定部７０３は、サブキャリアブロック毎に測定結果を平均して、平均した測定結果をセクタ・サブキャリア選択部７０５及びしきい値設定部１１１へ出力する。
【００６２】
セクタ＃Ｂの受信品質測定部７０４は、サブキャリアを複数のサブキャリアブロックに分けてグループ化し、セクタ＃Ｂの復調部７０２から入力した復調後のマルチキャリア信号に含まれる既知信号を用いて、サブキャリアブロック毎にセクタ＃Ｂの受信品質を測定する。この際、セクタ＃Ｂの受信品質測定部７０４は、各サブキャリアブロックにおいて、複数のセクタから送信された信号の受信品質を測定する。そして、セクタ＃Ｂの受信品質測定部７０４は、サブキャリアブロック毎に測定結果を平均して、平均した測定結果をセクタ・サブキャリア選択部７０５及びしきい値設定部１１１へ出力する。
【００６３】
セクタ・サブキャリア選択部７０５は、セクタ＃Ａの受信品質測定部７０３及びセクタ＃Ｂの受信品質測定部７０４から入力した平均した受信品質の測定結果と、しきい値設定部１１１から入力したしきい値とに基づいて、サブキャリアブロック毎にセクタを選択する。そして、セクタ・サブキャリア選択部７０５は、サブキャリアブロック毎の選択結果をサブキャリア選択情報生成部１１２へ出力する。
【００６４】
しきい値設定部１１１は、セクタ＃Ａの受信品質測定部７０３及びセクタ＃Ｂの受信品質測定部７０４から入力した受信品質の測定結果より、測定結果に応じてセクタ毎にしきい値を適応的に設定する。そして、しきい値設定部１１１は、設定したしきい値をセクタ・サブキャリア選択部７０５へ出力する。しきい値の設定方法としては、セクタ＃Ａ及びセクタ＃Ｂで同一のしきい値を設定する方法、またはセクタ＃Ａとセクタ＃Ｂで異なるしきい値を設定する方法等の任意の方法を採用することができる。
【００６５】
サブキャリア選択情報生成部１１２は、セクタ・サブキャリア選択部７０５から入力した選択結果より、サブキャリアブロック毎の選択したセクタの情報、即ちサブキャリアブロック毎のハンドオーバを行うか否かの情報であるサブキャリア選択情報を生成する。そして、サブキャリア選択情報生成部１１２は、生成したサブキャリア選択情報をサブキャリア選択情報記憶部１１３及び多重部１１４へ出力する。
【００６６】
サブキャリア選択情報記憶部１１３は、サブキャリア選択情報生成部１１２から入力したサブキャリア選択情報を記憶する。そして、サブキャリア選択情報記憶部１１３は、記憶しているサブキャリア選択情報をセクタ＃Ａの復調部７０１及びセクタ＃Ｂの復調部７０２へ出力する。
【００６７】
次に、基地局装置８００の構成について、図８を用いて説明する。図８は、基地局装置８００の構成を示すブロック図である。
【００６８】
本実施の形態２に係る基地局装置８００は、図２に示す実施の形態１に係る基地局装置２００において、図８に示すように、有線送受信部２０６及びリソース割当部２０９を除き、サブキャリア割当部８０１を追加する。なお、図８においては、図２と同一構成である部分には同一の符号を付してその説明は省略する。
【００６９】
誤り訂正復号部２０５は、復調部２０４から入力した受信信号を誤り訂正復号して、受信信号に含まれるサブキャリア選択情報を抽出してサブキャリア割当部８０１へ出力するとともに、サブキャリア選択情報を抽出した後に受信データとして出力する。
【００７０】
変調部２０８は、誤り訂正符号化部２０７から入力した送信データを変調して送信信号を生成し、生成した送信信号をサブキャリア割当部８０１へ出力する。
【００７１】
サブキャリア割当部８０１は、誤り訂正復号部２０５から入力したサブキャリア選択情報より、各サブキャリアブロックについて、通信端末装置７００が選択したセクタの送信信号が割り当てられるように、変調部２０８から入力した送信信号を各サブキャリアブロックに割り当ててＩＦＦＴ部２１０へ出力する。
【００７２】
ＩＦＦＴ部２１０は、サブキャリア割当部８０１から入力した送信信号を逆高速フーリエ変換することにより、周波数軸上から時間軸上の信号に変換してマルチキャリア信号を生成する。そして、ＩＦＦＴ部２１０は、生成したマルチキャリア信号をＲＦ送信部２１１へ出力する。
【００７３】
次に、通信端末装置７００と基地局装置８００の動作について、図９を用いて説明する。図９は、通信端末装置７００と基地局装置８００の動作を示すシーケンス図である。なお、図９において、通信端末装置７００は図７と同一構成であり、基地局装置８００は図８と同一構成である。
【００７４】
図９より、通信端末装置７００は、セクタ＃Ａの受信品質測定部７０３及びセクタ＃Ｂの受信品質測定部７０４にて、サブキャリアブロック毎に受信品質を測定して平均する。
【００７５】
次に、通信端末装置７００は、セクタ・サブキャリア選択部７０５にて、セクタＡ及びセクタＢの内、受信品質を示す測定値である例えば受信ＳＩＮＲが最大で、かつ受信ＳＩＮＲがしきい値以上である方のセクタをサブキャリア毎に選択する。また、セクタ・サブキャリア選択部７０５は、セクタＡ及びセクタＢの両方の受信ＳＩＮＲがしきい値以上ではない場合には、いずれのセクタも選択しない。
【００７６】
図１０は、各サブキャリアブロックにおける、セクタＡの受信品質＃１０１０及びセクタＢの受信品質＃１０１１を示すものである。なお、各サブキャリアブロック＃１００１〜＃１００９は、１サブキャリアブロックを示す。図１０より、サブキャリアブロック＃１００１では、セクタＡの受信品質＃１０１０の方がセクタＢの受信品質＃１０１１よりも良好であるとともに、セクタＡの受信品質＃１０１０の測定値はしきい値以上であるので、セクタ・サブキャリア選択部７０５はセクタＡを選択する（＃１０２０）。また、サブキャリアブロック＃１００２では、セクタＡ及びセクタＢの両方とも受信品質の測定値がしきい値未満なので、セクタ・サブキャリア選択部７０５はセクタＡ及びセクタＢのいずれも選択しない（＃１０２１）。これにより、サブキャリアブロック＃１００２では、データが送信されないことになる。また、サブキャリアブロック＃１００３では、セクタＢの受信品質＃１０１１の方がセクタＡの受信品質＃１０１０よりも良好であるとともに、セクタＢの受信品質＃１０１１の測定値はしきい値以上であるので、セクタ・サブキャリア選択部７０５はセクタＢを選択する（＃１０２２）。そして、セクタ・サブキャリア選択部７０５は、サブキャリアブロック＃１００４〜＃１００９についても同様にしてセクタを選択する。
【００７７】
次に、通信端末装置７００は、サブキャリア選択情報生成部１１２にて、サブキャリア選択情報を生成する。そして、通信端末装置７００は、生成したサブキャリア選択情報を基地局装置２００のセクタＡへ送信するとともに（ステップＳＴ９０１）、生成したサブキャリア選択情報を基地局装置２００のセクタＢへ送信する（ステップＳＴ９０２）。
【００７８】
サブキャリア選択情報を受信した基地局装置８００は、サブキャリア割当部８０１にて、各セクタが選択されたサブキャリアブロックに、選択された各セクタから送信するデータを割り当て、逆高速フーリエ変換してマルチキャリア信号を生成する。
【００７９】
次に、基地局装置８００は、セクタＡより、マルチキャリア信号を下りデータとして送信するとともに（ステップＳＴ９０３）、セクタＢより、マルチキャリア信号を下りデータとして送信する（ステップＳＴ９０４）。そして、通信端末装置７００はマルチキャリア信号である下りデータを受信する。
【００８０】
次に、セクタ・サブキャリア選択部７０５における、セクタＡ及びセクタＢの選択方法についての他の実施の形態について説明する。上記の説明においては、受信ＳＩＮＲとしきい値とを比較して、受信ＳＩＮＲがしきい値以上のセクタがない場合にはデータが送信されないこととしたが、これに限らず、しきい値を「０」にして、必ずセクタＡ及びセクタＢの内の受信品質が良好な方が選択されるようにしても良い。また、セクタＡ及びセクタＢのいずれか一つを選択する場合に限らず、受信ＳＩＮＲがしきい値を越えていればセクタＡとセクタＢとの両方を選択することも可能である。この場合、セクタＡ及びセクタＢは、それぞれ同じサブキャリアを通信端末装置７００に割り当てることになる。ただし、サブキャリアに多重されるデータに乗算される拡散符号は、同一の拡散符号を使用すると拡散符号の直交性が崩れることから、セクタＡとセクタＢとで異なる拡散符号を使用する。
【００８１】
このように、本実施の形態２によれば、通信端末装置がハンドオーバ領域に位置するか否かを考慮してサブキャリアブロック毎に受信品質が良好なセクタを選択することにより、通信端末装置にとって伝搬状況の良好なサブキャリアのみを用いて各セクタからデータを送信することができるので、システム全体の伝送効率を向上させることができる。また、本実施の形態２によれば、サブキャリアブロック毎に受信品質が良好なセクタを選択することにより、通信端末装置がハンドオーバ領域に位置するか否かを考慮して周波数スケジューリングを行うことができる。これにより、ハンドオーバ中の通信端末装置は、ハンドオーバ元のセクタとハンドオーバ先のセクタとの両方からデータを受信するサイトダイバーシチ効果を得ることができるので、受信品質及びスループットを改善することができる。また、本実施の形態２によれば、受信ＳＩＮＲと比較するしきい値をセクタ毎に異なるよう設定した場合、例えば、セクタＢを選択するためのしきい値を、セクタＡを選択するためのしきい値に比べて大きくすることにより、セクタＢからセクタＡへの干渉を最小限に抑えることができる。
【００８２】
（実施の形態３）
上記実施の形態１及び実施の形態２においては、１つの通信端末装置に対してサブキャリアブロック毎に各基地局装置を割り当てる場合について説明したが、本実施の形態３においては、複数の通信端末装置に対してサブキャリアブロック毎に各基地局装置を割り当てる場合について説明する。本実施の形態３では、制御局がサブキャリアブロック毎の各基地局装置の割り当ての状況を見極めて、基地局装置間で協調する周波数スケジューリングを行うものである。
【００８３】
図１１は、本発明の実施の形態３に係る通信端末装置１１００の構成を示すブロック図である。
【００８４】
本実施の形態３に係る通信端末装置１１００は、図１に示す実施の形態１に係る通信端末装置１００において、図１１に示すように、セル・サブキャリア選択部１１０としきい値設定部１１１とサブキャリア選択情報生成部１１２を除き、受信品質差算出部１１０１及び受信品質差情報生成部１１０２を追加し、サブキャリア選択情報記憶部１１３の代わりにサブキャリア選択情報記憶部１１０３を有する。なお、図１１においては、図１と同一構成である部分には同一の符号を付してその説明は省略する。
【００８５】
セル＃１の受信品質測定部１０８は、サブキャリアを複数のサブキャリアブロックに分けてグループ化し、セル＃１の復調部１０４から入力した復調後のマルチキャリア信号に含まれる既知信号を用いて、サブキャリアブロック毎にセル＃１の受信品質を測定する。この際、セル＃１の受信品質測定部１０８は、各サブキャリアブロックにおいて、複数の基地局装置から送信された信号の受信品質を測定する。そして、セル＃１の受信品質測定部１０８は、サブキャリアブロック毎に測定結果を平均して、平均した測定結果を受信品質差算出部１１０１へ出力する。
【００８６】
セル＃２の受信品質測定部１０９は、サブキャリアを複数のサブキャリアブロックに分けてグループ化し、セル＃２の復調部１０５から入力した復調後のマルチキャリア信号に含まれる既知信号を用いて、サブキャリアブロック毎にセル＃２の受信品質を測定する。この際、セル＃２の受信品質測定部１０９は、各サブキャリアブロックにおいて、複数の基地局装置から送信された信号の受信品質を測定する。そして、セル＃２の受信品質測定部１０９は、サブキャリアブロック毎に測定結果を平均して、平均した測定結果を受信品質差算出部１１０１へ出力する。
【００８７】
誤り訂正復号部１０７は、合成部１０６から入力した合成されたマルチキャリア信号を誤り訂正復号して受信データとして出力する。また、誤り訂正復号部１０７は、マルチキャリア信号を誤り訂正復号して、マルチキャリア信号に含まれているサブキャリア選択情報を受信品質差算出部１１０１及びサブキャリア選択情報記憶部１１０３へ出力する。
【００８８】
受信品質差算出部１１０１は、誤り訂正復号部１０７から入力したサブキャリア選択情報とセル＃１の復調部１０４及びセル＃２の復調部１０５から入力した受信品質の測定結果とに基づいて、サブキャリアブロック間の受信品質差を算出する。具体的には、受信品質差算出部１１０１は、サブキャリア選択情報により通知された自分に割り当てられた各サブキャリアブロックにおける基地局装置の受信品質の内で、最も劣化している受信品質とそれ以外の各サブキャリアブロックにおける各基地局装置の受信品質との受信品質差を算出する。そして、受信品質差算出部１１０１は、算出した受信品質差の算出結果を受信品質差情報生成部１１０２へ出力する。
【００８９】
受信品質差情報生成部１１０２は、受信品質差算出部１１０１から入力した受信品質差の算出結果より、受信品質差情報を生成して多重部１１４へ出力する。
【００９０】
多重部１１４は、受信品質差情報生成部１１０２から入力した受信品質差情報と送信データとを多重して誤り訂正符号化部１１５へ出力する。
【００９１】
サブキャリア選択情報記憶部１１０３は、誤り訂正復号部１０７から入力したサブキャリア選択情報を記憶する。そして、サブキャリア選択情報記憶部１１０３は、記憶しているサブキャリア選択情報をセル＃１の復調部１０４及びセル＃２の復調部１０５へ出力する。なお、基地局装置の構成は、通信端末装置１１００から受け取った受信品質差情報を制御局へ送信するとともに、制御局から受け取ったサブキャリア選択情報を通信端末装置へ送信する以外は図２と同一構成であるので、その説明は省略する。
【００９２】
次に、制御局１２００の構成について、図１２を用いて説明する。図１２は、制御局１２００の構成を示すブロック図である。
【００９３】
有線送受信部１２０１は、基地局装置より受信した受信品質差情報をサブキャリア選択部１２０２へ出力する。また、有線送受信部１２０１は、サブキャリア選択部１２０２から入力したサブキャリア選択情報及びリソース割り当て情報生成部１２０３から入力したリソース割り当て情報を基地局装置へ送信する。
【００９４】
選択手段であるサブキャリア選択部１２０２は、有線送受信部１２０１から入力した受信品質差情報に基づいて、各通信端末装置について、サブキャリアブロック毎に基地局装置を選択してサブキャリアブロック毎に基地局装置を割り当てる。具体的には、サブキャリア選択部１２０２は、各サブキャリアブロックにおいて他の通信端末装置に割り当てていない基地局装置で且つ全てのサブキャリアブロックにおける受信品質差情報の受信品質差が大きい基地局装置から順番に選択する。そして、サブキャリア選択部１２０２は、サブキャリアブロック毎の選択した基地局装置の情報であるサブキャリア選択情報を生成して有線送受信部１２０１及びリソース割り当て情報生成部１２０３へ出力する。
【００９５】
リソース割り当て情報生成部１２０３は、サブキャリア選択部１２０２から入力したサブキャリア選択情報に基づいて、各通信端末装置に対してリソースを割り当てる。即ち、リソース割り当て情報生成部１２０３は、サブキャリア選択情報で選択された基地局装置が各サブキャリアブロックに割り当てられるようにリソースを割り当てる。そして、リソース割り当て情報生成部１２０３は、割り当てたリソースの情報であるリソース割り当て情報を有線送受信部１２０１へ出力する。
【００９６】
次に、通信端末装置１１００と基地局装置と制御局１２００の動作について、図１３及び図１４を用いて説明する。図１３は、通信端末装置１１００、基地局装置２００及び制御局１２００の動作を示すシーケンス図である。
【００９７】
通信端末装置１１００は、ハンドオーバ領域にて、セル＃１の基地局装置２００−１及びセル＃２の基地局装置２００−２と通信を行う。また、基地局装置２００−１、２００−２の上位階層には基地局装置２００−１、２００−２を管理する制御局１２００があり、制御局１２００は通信ネットワークに接続されている。
【００９８】
図１３より、通信端末装置１１００は、セル＃１の受信品質測定部１０８及びセル＃２の受信品質測定部１０９にて、サブキャリアブロック毎に受信品質を測定して平均する。図１４は、セル＃１の受信品質測定部１０８及びセル＃２の受信品質測定部１０９にて測定した受信品質を示す図である。通信端末装置１１００は、セル＃１についてはサブキャリアブロック＃１〜＃３が割り当てられているとともにセル＃２は全くサブキャリアブロックが割り当てられていないものとする。また、セル＃１のサブキャリアブロック＃６、＃７とセル＃２のサブキャリアブロック＃４、＃８、＃９とには、全く通信端末装置が割り当てられていないものとする。即ち、セル＃１のサブキャリアブロック＃６、＃７とセル＃２のサブキャリアブロック＃４、＃８、＃９とは、通信端末装置１１００に対して割り当て可能なサブキャリアブロックである。
【００９９】
次に、通信端末装置１１００は、受信品質差算出部１１０１にて、現在通信端末装置１００に割り当てられているサブキャリアブロック＃１〜＃３の内で、最も劣化している受信品質であるサブキャリアブロック＃３のセル＃１の受信品質１０ｄＢを選択する。そして、受信品質差算出部１１０１は、サブキャリアブロック＃３のセル＃１の受信品質１０ｄＢと各サブキャリアブロックにおける各セル＃１、＃２における受信品質との受信品質差を算出する。
【０１００】
図１５は、受信品質差算出部１１０１にて算出した受信品質差を示す図である。通信端末装置１１００は、受信品質差情報生成部１１０２にて、図１５に示す受信品質差情報を生成する。
【０１０１】
次に、通信端末装置１１００は、生成した受信品質差情報を基地局装置２００−１へまとめて送信する（ステップＳＴ１３０１）。この場合、通信端末装置１１００は、セル＃１のサブキャリアブロック＃６、＃１０及びセル＃２のサブキャリアブロック＃１、＃５、＃９の受信品質差のように、受信品質差が負の値であるサブキャリアブロックの受信品質差情報を送信しないようにすれば、上り回線のシグナリング量を削減することができる。なお、通信端末装置１１００は、受信品質差の正負の値に関わらず全てのサブキャリアブロックの受信品質差情報を送信するようにしても良い。
【０１０２】
受信品質差情報を受信した基地局装置２００−１は、通信端末装置１１００から受信した受信品質差情報を制御局１２００へ送信する（ステップＳＴ１３０２）。
【０１０３】
次に、受信品質差情報を受信した制御局１２００は、サブキャリア選択部１２０２にて、通信端末装置１１００に割り当てられているセル＃１のサブキャリアブロック＃１〜＃３の受信品質差、及び全く通信端末装置に割り当てられていないセル＃１のサブキャリアブロック＃６、＃７とセル＃２のサブキャリアブロック＃４、＃８、＃９の受信品質差の中から、最も受信品質差が大きい受信品質差１２ｄＢのセル＃１のサブキャリアブロック＃２を選択する。続いて、サブキャリア選択部１２０２は、通信端末装置１１００に割り当てられているセル＃１のサブキャリアブロック＃１〜＃３の受信品質差、及び全く通信端末装置に割り当てられていないセル＃１のサブキャリアブロック＃６、＃７とセル＃２のサブキャリアブロック＃４、＃８、＃９の受信品質差の中から、受信品質差が大きいものから順番に選択する。即ち、サブキャリア選択部１２０２は、受信品質差が９ｄＢのセル＃２のサブキャリアブロック＃８、受信品質差が８ｄＢのセル＃１のサブキャリアブロック＃７、受信品質差が３ｄＢのセル＃１のサブキャリアブロック＃１、受信品質差が２ｄＢのセル＃２のサブキャリアブロック＃４の順番で選択する。なお、制御局１２００は、割り当て可能な全てのサブキャリアブロックを選択する場合に限らず、割り当て可能なサブキャリアブロックの内の受信品質差が大きいものから順番に一部のサブキャリアブロックを選択するようにしても良い。
【０１０４】
次に、制御局１２００は、サブキャリア選択部１２０２で選択したサブキャリアブロック毎の基地局装置の情報であるサブキャリア選択情報を基地局装置２００−１へ送信し（ステップＳＴ１３０３）、基地局装置２００−１は受信したサブキャリア選択情報を通信端末装置１１００へ送信する（ステップＳＴ１３０４）。
【０１０５】
次に、制御局１２００は、リソース割り当て情報生成部１２０３にて、サブキャリア選択部１２０２で選択した基地局装置が各サブキャリアブロックに割り当てられるように、サブキャリア毎のリソースを割り当てる。そして、制御局１２００は、基地局装置２００−２が通信端末装置１１００にリソースを割り当てるためのリソース割り当て情報を基地局装置２００−２へ送信し（ステップＳＴ１３０５）、基地局装置２００−１が通信端末装置１１００にリソースを割り当てるためのリソース割り当て情報を基地局装置２００−１へ送信する（ステップＳＴ１３０６）。
【０１０６】
次に、リソース割り当て情報を受信した基地局装置２００−１及び基地局装置２００−２は、リソース割当部２０９にて、サブキャリア選択情報に基づいて通信端末装置１１００にて自分が選択されたサブキャリアブロックを選択する。さらに、リソース割当部２０９は、選択したサブキャリアブロックの内、リソース割り当て情報に基づいて制御局１２００にて自局がリソースを割り当てられているサブキャリアブロックを選択して、各通信端末装置１１００へ送信するデータを、選択したサブキャリアブロックに割り当てることにより、リソースの割り当てを行う。そして、基地局装置２００−１、２０２−２は、ＩＦＦＴ部２１０にて、データを逆高速フーリエ変換してマルチキャリア信号を生成する。
【０１０７】
次に、基地局装置２００−１は、マルチキャリア信号を下りデータとして送信するとともに（ステップＳＴ１３０７）、基地局装置２００−２は、マルチキャリア信号を下りデータとして送信する（ステップＳＴ１３０８）。そして、通信端末装置１１００はマルチキャリア信号である下りデータを受信する。
【０１０８】
このように、本実施の形態３によれば、通信端末装置がハンドオーバ領域に位置するか否かを考慮してサブキャリアブロック毎に受信品質が良好な基地局装置を選択することにより、通信端末装置にとって伝搬状況の良好なサブキャリアのみを用いて基地局装置がデータを送信することができるので、システム全体の伝送効率を向上させることができる。また、本実施の形態３によれば、サブキャリアブロック毎に受信品質が良好な基地局装置を選択することにより、通信端末装置がハンドオーバ領域に位置するか否かを考慮して周波数スケジューリングを行うことができる。これにより、ハンドオーバ中の通信端末装置は、ハンドオーバ元の基地局装置とハンドオーバ先の基地局装置との両方からデータを受信するサイトダイバーシチ効果を得ることができるので、受信品質及びスループットを改善することができる。また、本実施の形態３によれば、各基地局装置のサブキャリアブロック毎の割り当て状況を考慮して基地局装置を選択するので、複数の通信端末装置が存在する場合において、最適な周波数スケジューリングを行うことができる。
【０１０９】
なお、本実施の形態３において、サブキャリアブロック毎に基地局装置を選択するようにしたが、これに限らず、本実施の形態３を実施の形態２に適用して、サブキャリアブロック毎にセクタを選択するようにしても良い。
【０１１０】
上記実施の形態１〜実施の形態３において、サブキャリアブロック毎に受信ＳＩＮＲを平均したが、これに限らず、サブキャリア毎の受信ＳＩＮＲを所定時間平均した後にサブキャリアブロック毎に平均するようにしても良い。また、上記実施の形態１〜実施の形態３において、サブキャリアブロック毎に受信品質を測定してサブキャリアブロック毎にハンドオーバするか否かを選択したが、これに限らず、サブキャリア毎に受信品質を測定してサブキャリア毎にハンドオーバするか否かを選択しても良い。
【産業上の利用可能性】
【０１１１】
本発明にかかる通信端末装置、制御局及びサブキャリア通信方法は、例えば変調方式としてＯＦＤＭを用いたマルチユーザ通信システムに用いるに好適である。
【図面の簡単な説明】
【０１１２】
【図１】本発明の実施の形態１に係る通信端末装置の構成を示すブロック図
【図２】本発明の実施の形態１に係る基地局装置の構成を示すブロック図
【図３】本発明の実施の形態１に係る通信端末装置がハンドオーバ領域にて基地局装置と通信を行っている状態を示す模式図
【図４】本発明の実施の形態１に係る通信システムを示す模式図
【図５】本発明の実施の形態１に係る通信端末装置、基地局装置及び制御局の動作を示すシーケンス図
【図６】本発明の実施の形態１に係る基地局装置のサブキャリアブロック毎の受信品質を示す図
【図７】本発明の実施の形態２に係る通信端末装置の構成を示すブロック図
【図８】本発明の実施の形態２に係る基地局装置の構成を示すブロック図
【図９】本発明の実施の形態２に係る通信端末装置及び基地局装置の動作を示すシーケンス図
【図１０】本発明の実施の形態２に係る基地局装置のサブキャリアブロック毎の受信品質を示す図
【図１１】本発明の実施の形態３に係る通信端末装置の構成を示すブロック図
【図１２】本発明の実施の形態３に係る制御局の構成を示すブロック図
【図１３】本発明の実施の形態３に係る通信端末装置、基地局装置及び制御局の動作を示すシーケンス図
【図１４】本発明の実施の形態３に係る各サブキャリアブロックの受信品質を示す図
【図１５】本発明の実施の形態３に係る各サブキャリアブロックの受信品質差を示す図
【符号の説明】
【０１１３】
１００  通信端末装置
１０１  アンテナ
１０２  ＲＦ受信部
１０３  ＦＦＴ部
１０４  セル＃１の復調部
１０５  セル＃２の復調部
１０６  合成部
１０７  誤り訂正復号部
１０８  セル＃１の受信品質測定部
１０９  セル＃２の受信品質測定部
１１０  セル・サブキャリア選択部
１１１  しきい値設定部
１１２  サブキャリア選択情報生成部
１１３  サブキャリア選択情報記憶部
１１４  多重部
１１５  誤り訂正符号化部
１１６  変調部
１１７  ＩＦＦＴ部
１１８  ＲＦ送信部
【図１】
2006191533.tif 000003
【図２】
2006191533.tif 000004
【図３】
2006191533.tif 000005
【図４】
2006191533.tif 000006
【図５】
2006191533.tif 000007
【図６】
2006191533.tif 000008
【図７】
2006191533.tif 000009
【図８】
2006191533.tif 000010
【図９】
2006191533.tif 000011
【図１０】
2006191533.tif 000012
【図１１】
2006191533.tif 000013
【図１２】
2006191533.tif 000014
【図１３】
2006191533.tif 000015
【図１４】
2006191533.tif 000016
【図１５】
2006191533.tif 000017